(57)【要約】【課題】  本発明は、手指の不自由な方が容易に引き上げることができる自助型介護パンツを提供する。【解決手段】  本発明の自助型介護パンツ１は、伸縮性布地から形成されたパンツ本体２の両側に前記パンツ本体２と一体に設けられ、パンツ本体２の前面に位置する前面部４、パンツ本体２の側面に位置する側面部５及びパンツ本体２の後面に位置する後面部６からなる指掛け部７を有し、前記指掛け部７を形成する布地の裏面に、前記指掛け部７を形成する布地よりも小さい伸縮性を有する布地から形成される補強部材９を、少なくとも縫合によって貼り付けるものである。【選択図】  図１
2018003221.tif 000002
【特許請求の範囲】
【請求項１】
伸縮性布地から形成されたパンツ本体の両側に前記パンツ本体と一体に設けられ、パンツ本体の前面に位置する前面部、パンツ本体の側面に位置する側面部及びパンツ本体の後面に位置する後面部からなる指掛け部を有する自助型介護用パンツにおいて、
前記指掛け部を形成する布地の裏面に、前記指掛け部を形成する布地よりも小さい伸縮性を有する布地から形成される補強部材を、少なくとも縫合によって貼り付けることを特徴とする自助型介護用パンツ。
【請求項２】
前記指掛け部は、下方に指掛け開口部を有する逆ポケット部であることを特徴とする請求項１記載の自助型介護用パンツ。
【請求項３】
前記前面部、前記側面部及び前記後面部は、前記指掛け開口部が全体にわたって形成されるように一体に形成され、前記補強部材は、前記前面部、前記側面部及び前記後面部にわたって設けられることを特徴とする請求項２記載の自助型介護パンツ。
【請求項４】
前記前面部、前記側面部及び前記後面部は、それぞれに下方に開口する指掛け開口部を有すると共に、それぞれに補強部材が貼り付けられることを特徴とする請求項２記載の自助型介護パンツ。
【請求項５】
前記前面部及び前記後面部は、それぞれに下方に開口する指掛け開口部を有すると共に、それぞれに補強部材が貼り付けられ、さらに前記側面部は、前記前面部及び前記後面部の間に位置する橋架部分としてパンツ本体に縫合により貼付けられることを特徴とする請求項２記載の自助型介護パンツ。
【請求項６】
前記指掛け部は、その下方に開口する指掛け開口部を有すると共に、その上方に開口する指貫通開口部を有することを特徴とする請求項1記載の自助型介護パンツ。
【請求項７】
前記パンツ本体は、さらに前記パンツ本体の前面部の内側に、前面中央内側指掛け部を設け、さらに前記パンツ本体の後面部の内側に、後面中央内側指掛け部を設けたことを特徴とする請求項１〜６のいずれか１つに記載の自助型介護パンツ。
【発明の詳細な説明】
【技術分野】
【０００１】
本発明は、リウマチ性疾患又は脳血管障害の後遺症などにより手指に硬縮が見られる方や筋力低下を来す症状を有する方、高齢者の方などパンツの着装に不便を来す方のために開発された自助型介護用パンツに関する。
【背景技術】
【０００２】
特許文献１（特許第４０３３３５９号公報）は、完全パンツ型おむつの前身頃及び／又は後身頃に、下方に開いた指掛開口を有する逆ポケットを設けたずり上げ機能付き大人用完全パンツ型おむつを開示する。
【０００３】
特許文献２（特許第５３２３９７６号公報）は、上端側に指を挿入して引っ掛けるための指掛部を備えた下着としてのパンツにおいて、前記指掛部は、少なくとも指を挿入して引掛けることが可能な長さ及び深さで横方向に形成されたスリットを有したものとして少なくともパンツ前面左右側に対で設けられており、且つ、下側のスリット構成部材上端側の所定の範囲に上側のスリット構成部材下端側が外側から被さって重なっており、前記上下のスリット構成部材は少なくとも前記スリットの全長にわたる帯状の補強材を互いに重なる位置で各々有して他の部分に比べて形態維持能が強化されており、斜めに上向きに曲げた指先でパンツの表面をなぞるように前記スリットの下方から上向きに指を動かすことで前記指先が前記スリットにそのまま挿入されて指の引っ掛け動作が完了し、少なくとも指を挿入していない装着状態では、前記スリット構成部材の重なりにより前記スリットが閉じた状態を維持するパンツを開示する。
【０００４】
上述した従来技術を踏まえて、本出願人は、特許文献３（実用新案登録第３１９１６８７号公報）において自助型介護用パンツを考案した。この自助型介護パンツは、パンツ本体のウェスト部両側面に綿、化学繊維、ポリウレタン繊維、ゴム等の逆ポケット構成部材を斜めに切断面で縫合し、逆ポケット指掛け開口部を備えるものであり、これによって、下着としてのファッション性を損なうことなく、着衣時におけるずり上げを容易にした機能を有することで、手指の不自由な方が自分で自立的に更衣着脱が可能になるものである。
【先行技術文献】
【特許文献】
【０００５】
【特許文献１】特許第４０３３３５９号公報
【特許文献２】特許第５３２３９７６号公報
【特許文献３】実用新案登録第３１９１６８７号公報
【発明の概要】
【発明が解決しようとする課題】
【０００６】
しかしながら、本出願人によって考案された自助型介護用パンツは、ファッション性を有する下着として、そのフィット性を重視することから、多くの場合、弾力性（伸縮性）のある布によって作製されるが、逆ポケットに指を入れて引っ張った場合に、逆ポケットを形成する布自体が伸縮性を有するため、指を掛けて引っ張り上げる時に引っ張り上げにくいという問題点があった。
【０００７】
このため、本発明は、手指の不自由な方が容易に引き上げることができる自助型介護パンツを提供することにある。
【課題を解決するための手段】
【０００８】
本発明は、伸縮性布地から形成されたパンツ本体の両側に前記パンツ本体と一体に設けられ、パンツ本体の前面に位置する前面部、パンツ本体の側面に位置する側面部及びパンツ本体の後面に位置する後面部からなる指掛け部を有する自助型介護用パンツにおいて、前記指掛け部を形成する布地の裏面に、前記指掛け部を形成する布地よりも小さい伸縮性を有する布地から形成される補強部材を、少なくとも縫合によって貼り付けることにある。
【０００９】
これによって、補強部材として、パンツ本体を形成する伸縮性布地よりも伸縮性の小さい特性を有する布地を使用することによって、指掛け部に指を引っ掛けてパンツ本体を引き上げる時に、指掛け部の布地の伸びを抑制できるため、パンツ本体の引き上げを楽に行うことができるものである。
【００１０】
また、本発明によれば、前記指掛け部は、下方に指掛け開口部を有する逆ポケット部であることが望ましく、前記前面部、前記側面部及び前記後面部は、前記指掛け開口部が全体にわたって形成されるように一体に形成され、前記補強部材は、前記前面部、前記側面部及び前記後面部にわたって設けられることが望ましい。尚、補強部材は、前記逆ポケット部を構成する布地の裏面に貼り付けられるものであるが、指が挿入可能な部分の全体若しくは指掛け開口部の開口部分から三分の二程度の範囲に配されることが望ましい。
【００１１】
この場合、前面部、側面部及び後面部が一体化されていることから、指掛け開口部のいずれの部分からでも指を挿入してパンツ本体を引き上げることができるものである。さらに、裏ポケット部に補強部材が配置されているので、引き上げ時のパンツ本体の生地の伸びを抑制することができる。また、これによって指の滑りも防止できるものである。
【００１２】
さらに、本発明によれば、前記前面部、前記側面部及び前記後面部は、それぞれに下方に開口する指掛け開口部を有すると共に、それぞれに補強部材が貼り付けられることが望ましい。
【００１３】
この場合には、それぞれに補強部材で裏打ちされた前面部、側面部及び後面部のそれぞれの指掛け開口部に指を挿入して引き上げることができるため、パンツ本体の前面、側面及び後面のそれぞれの部分での引き上げ力を向上させることができる。
【００１４】
さらにまた、前記前面部及び前記後面部は、それぞれに下方に開口する指掛け開口部を有すると共に、それぞれに補強部材が貼り付けられ、さらに前記側面部は、前記前面部及び前記後面部の間に位置する橋架部分としてパンツ本体に縫合により貼付けられることが望ましい。
【００１５】
この場合には、前面部と後面部での引き上げ力を向上させることができると共に、前記側面部が橋架部分としてパンツ本体に貼付けられることから、前記裏ポケット部の強度を向上させることができるものである。また、側面部を伸縮性のある生地とすることによってパンツ本体の装着性を向上させることができるものである。
【００１６】
また、本発明において、前記指掛け部は、その下方に開口する指掛け開口部を有すると共に、その上方に開口する指貫通開口部（スリット）を有するものであっても良い。
【００１７】
これによって、指が指掛け部を貫通することができるため、さらに引き上げやすくなるものである。
【００１８】
さらに、前記パンツ本体は、さらに前記パンツ本体の前面部の内側に、前面中央内側指掛け部を設け、さらに前記パンツ本体の後面部の内側に、後面中央内側指掛け部を設けることが望ましい。
【００１９】
これによって、前面側及び後面側の中に手を入れて引き上げられるため、パンツ本体を確実に引き上げられるものである。
【発明の効果】
【００２０】
本発明によれば、伸縮性布地から形成されたパンツ本体のウェスト部の両側に前記パンツ本体と一体に設けられ、パンツ本体の前面に位置する前面部、パンツ本体の側面に位置する側面部及びパンツ本体の後面に位置する後面部からなる指掛け部を有する自助型介護用パンツにおいて、前記指掛け部を形成する布地の裏面に、前記指掛け部を形成する布地よりも小さい伸縮性を有する布地を、補強部材として少なくとも縫合によって貼り付けられることによって、パンツ本体を引き上げる際の裏ポケット部の伸長を抑えることができるために、パンツ本体の引き上げが容易になるものである。
【図面の簡単な説明】
【００２１】
【図１】本発明に係る自助型介護パンツの正面説明図である。
【図２】（ａ）は本発明の実施例１に係る自助型介護パンツの側面図であり、（ｂ）は裏ポケット部の断面図である。
【図３】（ａ）は本発明の実施例２に係る自助型介護パンツの側面図であり、（ｂ）は裏ポケット部の断面図である。
【図４】（ａ）は本発明の実施例３に係る自助型介護パンツの側面図であり、（ｂ）は裏ポケット部の断面図である。
【図５】（ａ）は本発明の実施例４に係る自助型介護パンツの正面図であり、（ｂ）はその上面図である。
【図６】本発明の実施例５に係る自助型介護パンツの正面図である。
【発明を実施するための形態】
【００２２】
以下、本発明の実施例について、図面により説明する。
【実施例１】
【００２３】
図１及び図２に示される本発明に実施例１に係る自助型介護パンツ１は、伸縮性布地から形成されたパンツ本体２のウェスト部３の下方に前記パンツ本体２と一体に設けられ、パンツ本体２の前面に位置する前面部４、パンツ本体２の側面に位置する側面部５及びパンツ本体２の後面に位置する後面部６からなる指掛け部７を有するものであり、特に、実施例１において、前記指掛け部７は、下方に指掛け開口部８を有する逆ポケット部である。特に、本発明の実施例１によれば、前記逆ポケット部７は、前記前面部４、前記側面部５及び前記後面部６が一体に形成されると共に、前記指掛け開口部８が全体にわたって形成されるので、前記補強部材９は、前記前面部４、前記側面部５及び前記後面部６にわたって設けられるものである。尚、補強部材９は、この実施例１では、前記指掛け部７に縫合によって貼り付けられるが、接着剤等によって貼り付けても良いものである。
【００２４】
本発明によれば、前記逆ポケット部７を形成する布地の裏面に、この布地よりも小さい伸縮性を有する布地を、補強部材９として少なくとも縫合によって貼り付けるものである。基本的に、パンツ本体２は、伸縮性のある編物（ニット）生地によって形成されているため、そのデザイン性から、指掛け部（逆ポケット部）７についても同様の編物生地によってパンツ本体と同一の生地によって一体に形成される。繊維としては、綿、絹等の天然素材繊維、ポリエチレン等の化学繊維、それらの合成繊維等が使用される。
【００２５】
これに対して補強部材９としては、伸縮性が編物生地よりも小さい織物生地で形成する。素材としては、安価な化学繊維、合成繊維で形成しても良いし、綿、絹などの天然繊維を使用しても良く、特にツィール素材（ポリエステル６５％、綿３５％からなる）によって作製されることが望ましい。
【００２６】
以上のように、パンツ本体２と共に指掛け部７の表面を形成する伸縮性のある編物生地の裏面に、補強部材９として伸縮性の小さい織物生地を使用することによって、パンツ本体２を引き上げる際に指掛け部７をしっかりと保護／補強することができるため、パンツ本体２の着装作業を円滑に行うことが可能となるものである。
【実施例２】
【００２７】
図３に示す本発明の実施例２に係る自助型介護パンツ１は、パンツ本体２の両側に設けられた指掛け部７が、前面部４、側面部５及び後面部６によってそれぞれ独立して構成され、前記側面部５は前面部４と後面部６の橋架部分として、前記指掛け部７を補強するためにパンツ本体２に固着される構造となっている。尚、その他の内容については実施例１と同様であるため、それらの説明を省略する。また、図面において同一の箇所又は同一の効果を奏する箇所には同一の符号を付してその説明を省略する。
【００２８】
本発明の実施例２に係るこの構造では、指掛け部７は、前記前面部４及び前記後面部６が裏ポケット部として形成され、それぞれに指掛け開口部８が形成され、補強部材９がその裏ポケット部のそれぞれの背面に設けられる。
【００２９】
これによって、この実施例２では、指掛け部７の前面部４及び後面部６のそれぞれの強度を、実施例１の場合と比べて向上させることができるので、手指の入る指掛け開口部８が狭くなるものの引き上げ作業は容易になるものである。
【実施例３】
【００３０】
図４で示す本発明に実施例３に係る自助型介護パンツ１は、指掛け部７が、前面部４、側面部５及び後面部６によって構成され、前面部４、側面部５及び後面部６がそれぞれ裏ポケット部を形成し、それぞれの裏ポケット部には補強部材９が設けられるものである。尚、その他の内容については実施例１と同様であるため、それらの説明を省略する。また、図面において同一の箇所又は同一の効果を奏する箇所には同一の符号を付してその説明を省略する。
【００３１】
本発明の実施例３に係るこの構造では、指掛け部７の前面部４、側面部５及び後面部６のそれぞれに裏ポケット部が形成され、その背面に補強部材９が設けられることから、パンツ本体２を前側、側面及び後面のそれぞれから引き上げることができる。
【実施例４】
【００３２】
図５で示す本発明の実施例４に係る自助型介護パンツ１は、上述した実施例１乃至３において開示されたそれぞれの自助型介護パンツ１において、前面内側及び後面内側に、前面中央内側指掛け部１０及び後面中央内側指掛け部１１を設けたことを特徴としたものである。尚、その他の内容については実施例１と同様であるため、それらの説明を省略する。また、図面において同一の箇所又は同一の効果を奏する箇所には同一の符号を付してその説明を省略する。
【００３３】
この実施例４の自助型介護パンツ１においては、パンツ本体２の内側に手を差し入れて、前側では、前面中央内側指掛け部１０に、後ろ側では後面中央内側指掛け部１１に指を掛けてパンツ本体２を引き上げることができるものである。これによって確実にパンツ本体２を引き上げてフィットさせることができるものである。
【００３４】
尚、この実施例４では、実施例１乃至実施例３のいずれかにおいて、パンツ本体２の前面内側及び後面内側に、前面中央内側指掛け部１０及び後面中央内側指掛け部１１を設けるようにしたが、パンツ本体２に外側の指掛け部７を設けることなしに、パンツ本体２の内側のみに前面中央内側指掛け部１０及び後面中央内側指掛け部１１を設けるようにしても良いものである。
【実施例５】
【００３５】
図６で示す本発明の実施例５に係る自助型介護パンツ１は、前記指掛け部７のウェスト部３側に、いわゆる指掛け部７の上方に開口する指貫通開口部（スリット）１２を形成したことを特徴としたものである。尚、その他の内容については実施例１と同様であるため、それらの説明を省略する。また、図面において同一の箇所又は同一の効果を奏する箇所には同一の符号を付してその説明を省略する。
【００３６】
この指貫通開口部１２は、前記指掛け部７の全体にわたって形成しても良く、また前面部４，側面部５及び後面部６のそれぞれに形成するようにしても良いものである。
【００３７】
これによって、パンツ本体２を引き上げる時に、指を指掛け部７に貫通させて引き上げることができるため、パンツ本体２に引き上げが容易になるものである。
【００３８】
以上実施例１〜５において説明したように、本発明によれば、パンツ本体２に指掛け部７を設けると共に、指掛け部７の裏面に、パンツ本体２を形成する生地の伸縮性よりも低い伸縮性を有する生地からなる補強部材９を配置したことから、指掛け部７の伸縮性を抑制できるために、パンツ本体２の引き上げ作業を容易におこなうことができるようになるものである。
【符号の説明】
【００３９】
１  自助型介護パンツ
２  パンツ本体
３  ウェスト部
４  前面部
５  側面部
６  後面部
７  指掛け部
８  指掛け開口部
９  補強部材
１０  前面中央内側指掛け部
１１  後面中央内側指掛け部
１２  指貫通開口部
【図１】
2018003221.tif 000003
【図２】
2018003221.tif 000004
【図３】
2018003221.tif 000005
【図４】
2018003221.tif 000006
【図５】
2018003221.tif 000007
【図６】
2018003221.tif 000008